(57)【要約】アルカリ亜鉛再充電可能バッテリーパックを開示する。アルカリ亜鉛再充電可能バッテリーパックは、ケーシングを有し、ケーシングは、複数の電気化学セル、および、再充電管理回路を備える。当該複数の電気化学セルは、それぞれ、アルカリ性電解物質、アノード、および、カソードを備える。アノードは、亜鉛を含む。カソードは、銀、銀の酸化物、金属銀、または、銀、銀の酸化物、および、金属銀の組み合わせを含む。アルカリ性電解物質は、含水アルカリ金属水酸化物を含む。再充電管理回路は、複数の電気化学セルに接続される。再充電管理回路は、プロセッサ、該プロセッサに接続された第１電圧ディテクタ／コントローラ、該プロセッサに接続された第２電圧ディテクタ／コントローラ、および、該プロセッサに接続された電流センサを備える。第１電圧ディテクタ／コントローラ、第２電圧ディテクタ／コントローラ、および、電流センサは、複数の電気化学セルに接続される。アルカリ亜鉛再充電可能バッテリーパックを充電するためのシステムも開示する。当該再充電可能バッテリーパックを充電するための方法も開示する。【特許請求の範囲】
【請求項１】
アルカリ亜鉛再充電可能バッテリーパックであって、
複数の電気化学セルであって、各セルが、アルカリ性電解物質と、アノードと、カソードとを備え、前記アノードが、亜鉛を含み、前記カソードが、銀、銀の酸化物、金属銀、または、それらからの組み合わせを含み、前記アルカリ性電解物質が、含水アルカリ金属水酸化物を含む、複数の電気化学セルと、
前記複数の電気化学セルに接続された再充電管理回路であって、プロセッサと、該プロセッサに接続された第１電圧ディテクタ／コントローラと、該プロセッサに接続された第２電圧ディテクタ／コントローラと、該プロセッサに接続された電流センサとを備え、前記第１電圧ディテクタ／コントローラと、前記第２ディテクタ／コントローラと、前記電流センサとは、前記複数の電気化学セルと接続される、再充電管理回路と、を有するアルカリ亜鉛再充電可能バッテリーパック。
【請求項２】
前記複数の電気化学セルは、さらに、３つの電気化学セルを含んだセル第１バンクと、３つの電気化学セルを含んだセル第２バンクと、を備え、
前記電流センサは、前記セル第１バンクおよび前記セル第２バンクの両方に接続され、
前記第１電圧ディテクタ／コントローラは、前記セル第１バンクに接続され、
前記第２電圧ディテクタ／コントローラは、前記セル第２バンクに接続される、請求項１に記載のアルカリ亜鉛再充電可能バッテリーパック。
【請求項３】
前記再充電管理回路は、さらに、
前記第１電圧ディテクタ／コントローラと前記プロセッサとに接続された充電電界効果トランジスタと、
前記第２電圧ディテクタ／コントローラと前記プロセッサとに接続された放電電界効果トランジスタと、を有する、請求項１に記載のアルカリ亜鉛再充電可能バッテリーパック。
【請求項４】
前記再充電管理回路は、インタフェース第１端を供し、
前記インタフェース第１端は、
前記充電電界効果トランジスタから延びる少なくとも１つの第１ノードと、
前記放電電界効果トランジスタから延びる少なくとも１つの第２ノードと、
前記プロセッサから延びるシリアル・コミュニケーション・バスを備える、請求項３に記載のアルカリ亜鉛再充電可能バッテリーパック。
【請求項５】
前記第１ノードおよび前記第２ノードは、前記再充電管理回路を、電源に接続された外部デバイスのＡＣ／ＤＣコンバータに接続するための手段を供し、
前記シリアル・コミュニケーション・バスは、前記再充電管理回路を、前記外部デバイスのホスト・コントローラに接続するための手段を供する、請求項４に記載のアルカリ亜鉛再充電可能バッテリーパック。
【請求項６】
前記再充電管理回路は、
前記複数の電気化学セルの少なくとも１つのセルにかかる最大電圧を検出するための手段と、
該セルにかかる最大充電容量を検出するための手段と、
該セルがほぼ最大電圧まで充電されている場合に該セルに流れる定電流を減少させるための手段と、
該セルがほぼ最大充電容量まで充電されている場合に該セルに流れる定電流を阻止するための手段と、を供する、請求項４に記載のアルカリ亜鉛再充電可能バッテリーパック。
【請求項７】
前記複数の電気化学セルの少なくとも１つのセルにかかる最大電圧を検出するための手段は、前記第１電圧ディテクタ／コントローラおよび前記第２電圧ディテクタ／コントローラの１つまたは複数を備え、
前記該セルにかかる最大充電容量を検出するための手段は、前記電流センサを備える、請求項６に記載のアルカリ亜鉛再充電可能バッテリーパック。
【請求項８】
さらに、
ケーシングと、
前記ケーシングから延びる入力デバイスと、を有し、
前記入力デバイスは、前記プロセッサに接続され、
前記複数の電気化学セルの少なくとも１つのセルにかかるプリセット最大充電電圧および該セルにかかるプリセット最大充電容量が前記プロセッサおよび前記シリアル・コミュニケーション・バスの１つまたは複数にプログラムされる、請求項４に記載のアルカリ亜鉛再充電可能バッテリーパック。
【請求項９】
前記入力デバイスは、バイナリ・コントローラを備え、
前記バイナリ・コントローラは、ボタン、タッチパッド、マウス、レバー、キーボード、ジョイスティック、および、トラックボールの少なくともいずれかを含む、請求項８に記載のアルカリ亜鉛再充電可能バッテリーパック。
【請求項１０】
前記入力デバイスは、前記複数の電気化学セルの少なくとも１つのセルにかかるプリセット最大電圧の１つまたは複数、ならびに、前記該セルにかかるプリセット最大充電容量を操作するための手段を供する、請求項８に記載のアルカリ亜鉛再充電可能バッテリーパック。
【請求項１１】
アルカリ亜鉛再充電可能バッテリーパックを充電するためのシステムであって、
ＡＣ／ＤＣコンバータおよびホスト・コントローラを備えたホスト・デバイスと、
インタフェースにおいて前記ホスト・デバイスと着脱可能に接続されるケーシングと、を有し、
前記ケーシングは、
複数の電気化学セルであって、各セルが、アルカリ性電解物質と、アノードと、カソードとを備え、前記アノードが、亜鉛を含み、前記カソードが、銀、銀の酸化物、金属銀、または、それらからの組み合わせを含み、前記アルカリ性電解物質が、含水アルカリ金属水酸化物を含む、複数の電気化学セルと、
前記ホスト・デバイスまたは前記ケーシングの１つに付随した再充電管理回路であって、前記複数の電気化学セルに接続される、再充電管理回路と、を備え、
前記再充電管理回路は、
プロセッサと、
該プロセッサに接続された第１電圧ディテクタ／コントローラと、
該プロセッサに接続された第２電圧ディテクタ／コントローラと、
該プロセッサに接続された電流センサと、を備え、
前記第１電圧ディテクタ／コントローラ、前記第２ディテクタ／コントローラ、および、前記電流センサは、前記複数の電気化学セルと接続される、アルカリ亜鉛再充電可能バッテリーパックを充電するためのシステム。
【請求項１２】
前記複数の電気化学セルは、３つの電気化学セルを含んだ電気化学セル第１バンクと、３つの電気化学セルを含んだ電気化学セル第２バンクと、を備え、
前記電流センサは、前記セル第１バンクおよび前記セル第２バンクの両方に接続され、
前記第１電圧ディテクタ／コントローラは、前記セル第１バンクに接続され、
前記第２電圧ディテクタ／コントローラは、前記セル第２バンクに接続される、請求項１１に記載のアルカリ亜鉛再充電可能バッテリーパック。
【請求項１３】
前記再充電管理回路は、さらに、
前記第１電圧ディテクタ／コントローラと前記プロセッサとに接続された充電電界効果トランジスタと、
前記第２電圧ディテクタ／コントローラと前記プロセッサとに接続された放電電界効果トランジスタと、を有する、請求項１１に記載のアルカリ亜鉛再充電可能バッテリーパック。
【請求項１４】
前記再充電管理回路は、前記ケーシングの内部に配置され、インタフェース第１端を供し、
前記インタフェース第１端は、
前記充電電界効果トランジスタから延びる少なくとも１つの第１ノードと、
前記放電電界効果トランジスタから延びる少なくとも１つの第２ノードと、
前記プロセッサから延びるシリアル・コミュニケーション・バスと、を備える、請求項１３に記載のアルカリ亜鉛再充電可能バッテリーパック。
【請求項１５】
前記第１ノードおよび前記第２ノードは、前記再充電管理回路を、電源に接続された前記外部デバイスの前記ＡＣ／ＤＣコンバータに接続するための手段を供し、
前記シリアル・コミュニケーション・バスは、前記再充電管理回路を、前記外部デバイスの前記ホスト・コントローラに接続するための手段を供する、請求項１４に記載のアルカリ亜鉛再充電可能バッテリーパック。
【請求項１６】
前記再充電管理回路は、
前記複数の電気化学セルの少なくとも１つのセルにかかる最大電圧を検出するための手段と、
該セルにかかる最大充電容量を検出するための手段と、
該セルがほぼ最大電圧まで充電されている場合に該セルに流れる定電流を減少させるための手段と、
該セルがほぼ最大充電容量まで充電されている場合に該セルに流れる定電流を阻止するための手段と、を供する、請求項１４に記載のアルカリ亜鉛再充電可能バッテリーパック。
【請求項１７】
前記複数の電気化学セルの前記セルにかかる最大電圧を検出するための手段は、前記第１電圧ディテクタ／コントローラおよび前記第２電圧ディテクタ／コントローラの１つまたは複数を備え、
前記該セルにかかる最大充電容量を検出するための手段は、前記電流センサを備える、請求項１６に記載のアルカリ亜鉛再充電可能バッテリーパック。
【請求項１８】
さらに、
前記ケーシングの前記ホスト・デバイスの前記ホスト・コントローラおよび前記プロセッサの１つまたは複数から延びる入力デバイスと、を有し、
前記複数の電気化学セルの少なくとも１つのセルにかかるプリセット最大充電電圧および該セルにかかるプリセット最大充電容量が前記プロセッサおよび前記シリアル・コミュニケーション・バスの１つまたは複数にプログラムされる、請求項１４に記載のアルカリ亜鉛再充電可能バッテリーパック。
【請求項１９】
前記入力デバイスは、バイナリ・コントローラを備え、
前記バイナリ・コントローラは、ボタン、タッチパッド、マウス、レバー、キーボード、ジョイスティック、および、トラックボールの少なくともいずれかを含む、請求項１８に記載のアルカリ亜鉛再充電可能バッテリーパック。
【請求項２０】
前記入力デバイスは、前記複数の電気化学セルの少なくとも１つのセルにかかるプリセット最大電圧の１つまたは複数、ならびに、前記該セルにかかるプリセット最大充電容量を操作するための手段を供する、請求項１８に記載のアルカリ亜鉛再充電可能バッテリーパック。
【請求項２１】
前記ホスト・デバイスは、デスクトップ・コンピュータ・ワークステーション、ラップトップ・コンピュータ・ワークステーション、携帯音楽プレーヤ、携帯ビデオ・プレーヤ、携帯電話、デジタル・カメラ、および、グローバル・ポジショニング・システム・デバイス、の１つまたは複数を含む、請求項１８に記載のアルカリ亜鉛再充電可能バッテリーパック。
【請求項２２】
アルカリ亜鉛再充電可能バッテリーパックを充電するための方法であって、
複数の電気化学セルを供するステップであって、各電気化学セルはアルカリ性電解物質、アノード、および、カソードを備え、該アノードは亜鉛を含み、該カソードは銀、銀の酸化物、金属銀、または、それらからの組み合わせを含み、該アルカリ性電解物質は含水アルカリ金属の水酸化物を含む、ステップと、
前記複数の電気化学セルに接続された再充電管理回路を供するステップであって、前記再充電管理回路が前記複数の電気化学セルの少なくとも１つのセルにかかる電圧を検出するステップと、該セルの充電容量を検出するステップと、該セルがほぼ最大電圧まで充電されている場合に該セルに流れる定電流を減少させるステップと、該セルがほぼ最大充電容量まで充電されている場合に該セルに流れる定電流を阻止するステップと、を実行するために供されるステップと、を有する、アルカリ亜鉛再充電可能バッテリーパックを充電するための方法。
【請求項２３】
前記定電流を減少させるステップの後で前記定電流を阻止するステップの前に、さらに、
前記検出した電圧が前記最大電圧以上であるかどうかを判断し、前記検出した電圧が最大電圧以上である場合に前記複数の電気化学セルの前記少なくとも１つのセルに流れる定電流をさらに減少させるステップと、
前記セルの充電容量をさらに検出して前記セルがほぼ最大容量まで充電されているかどうかを判断するステップと、
前記セルの前記充電容量がほぼ前記最大容量まで充電されるまで、前記判断するステップ乃至前記さらに検出するステップを繰り返し、前記セルがほぼ前記最大容量まで充電されると前記阻止するステップへ進むステップと、を有する、請求項２２に記載の方法。
【請求項２４】
さらに、
前記再充電管理回路と前記ホスト・デバイスとがインタフェースで結合されるようにインタフェースを供するステップと、
前記再充電管理回路に前記インタフェースの第１端を与えるステップであって、前記インタフェース第１端が前記再充電管理回路と前記ホスト・デバイスのＡＣ／ＤＣコンバータとを結合するための前記再充電管理回路から延びる１つまたは複数のノードと、前記再充電管理回路と前記ホスト・デバイスのホスト・コントローラとを結合するための前記再充電管理回路から延びる少なくとも１つのシリアル・コミュニケーション・バスとを備えている、ステップと、を有する請求項２２に記載の方法。
【請求項２５】
さらに、前記複数の電気化学セルの少なくとも１つのセルの前記最大容量を操作するための前記再充電管理回路と接続された入力デバイスを供するステップを有する請求項２２に記載の方法。
【請求項２６】
アルカリ亜鉛再充電可能バッテリーパックを充電するための方法であって、
複数の電気化学セルを供するステップであって、各電気化学セルはアルカリ性電解物質、アノード、および、カソードを備え、該アノードは亜鉛を含み、該カソードは銀、銀の酸化物、金属銀、または、それらからの組み合わせを含み、該アルカリ性電解物質はアルカリ金属の含水水酸化物を含む、ステップと、
前記複数の電気化学セルの少なくとも１つのセルにかかるユーザ定義目標容量を供するステップと、
少なくとも１つの電気化学セルの開回路電圧を測定するステップと、
前記開回路電圧が開回路電圧閾値より大きいかあるいはより小さいかを判断するステップと、
前記電気化学セルを充電するための期間を算出するステップと、
前記供されたユーザ定義目標容量に従って前記電気化学セルの充電期間を制限するステップと、を有するアルカリ亜鉛再充電可能バッテリーパックを充電するための方法。
【請求項２７】
前記開回路電圧閾値は、およそ１．７Ｖである、請求項２６に記載の方法。
【請求項２８】
さらに、
前記電気化学セルに充電電流を流すステップと、
前記セルが閾電圧に到達するための時間を求めるステップと、を有する請求項２６に記載の方法。
【請求項２９】
前記開回路電圧閾値は、およそ１．９Ｖである、請求項２８に記載の方法。
【請求項３０】
さらに、
前記電気化学セルの放電深度を第１式および第２式を用いて算出するステップであって、前記求めた開回路電圧が前記開回路電圧閾値よりも大きい場合に前記第１式を用い、前記求めた開回路電圧が開回路電圧閾値よりも小さい場合に第２式を用いる、ステップ、を有する請求項２８に記載の方法。
【請求項３１】
さらに、
前記複数の電気化学セルの少なくとも１つのセルにかかる充電状態を、前記算出した放電深度、前記求めた時間、および、前記流した充電電流を用いて算出するステップ、を有する請求項３０に記載の方法。
【請求項３２】
前記期間を算出するステップは、前記供されたユーザ定義目標容量、前記算出された充電状態、および、前記流した充電電流を用いる、請求項３１に記載の方法。
【発明の詳細な説明】
【技術分野】
【０００１】
（関連出願）
本願は、米国仮出願第６０／９８１，２５９号および第６０／９８１，３０８号に基づく利益を要求する。両出願は２００７年１０月１９日に出願された。両出願の内容は、参照により本願に含まれる。
【０００２】
（技術分野）
本願は、再充電可能バッテリーのための装置、および、充電のための方法に関する。
【背景技術】
【０００３】
再充電可能バッテリーは業界において知られ、また例えば、携帯電子デバイスにおいて広く用いられる。従来型の再充電可能バッテリーは有用であるが、バッテリーを再充電するのに用いるシステムおよびその方法は、耐用年数、保管期間、および／または、性能の向上または改善を伴う改良の影響を受けやすい。
【発明の概要】
【発明が解決しようとする課題】
【０００４】
したがって、業界にあっては、改良された再充電可能バッテリーのための装置や充電のための方法を開発する必要性が存在する。
【課題を解決するための手段】
【０００５】
本発明は、亜鉛アルカリ再充電可能バッテリーパックを提供する。該バッテリーパックは、複数の電気化学セルを有する。該複数の電気化学セルは、再充電管理回路に接続される。ここで、電気化学セルは、それぞれ、含水金属水酸化物を含んだアルカリ性電解物質、亜鉛を含んだアノード、ならびに、銀、銀の酸化物、金属銀、または、それらからの組み合わせを含んだカソードを備える。複数の電気化学セルに接続される再充電管理回路は、プロセッサ、該プロセッサに接続された第１電圧ディテクタ／コントローラ、該プロセッサに接続された第２電圧ディテクタ／コントローラ、および、該プロセッサに接続された電流センサを備え、第１電圧ディテクタ／コントローラ、第２電圧ディテクタ／コントローラ、および、電流センサは、複数の電気化学セルに接続される。
【０００６】
本発明にかかるバッテリーパックが有する複数の電気化学セルは、さらに、３つの電気化学セルを含んだセル第１バンク、および、３つの電気化学セルを含んだセル第２バンクを備え、電流センサは、セル第１バンクおよびセル第２バンクの両方に接続され、第１電圧ディテクタ／コントローラは、セル第１バンクに接続され、第２電圧ディテクタ／コントローラは、セル第２バンクに接続される。
【０００７】
別のバッテリーパック構成例においては、再充電管理回路は、さらに、第１電圧ディテクタ／コントローラおよびプロセッサに接続された充電電界効果トランジスタ、ならびに、第２電圧ディテクタ／コントローラおよびプロセッサに接続された放電電界効果トランジスタを有する。再充電管理回路は、インタフェース第１端を与えることができる。該インタフェース第１端は、充電電界効果トランジスタから延びる少なくとも１つの第１ノード、放電電界効果トランジスタから延びる少なくとも１つの第２ノード、および、プロセッサから延びるシリアル・コミュニケーション・バスを備える。第１ノードおよび第２ノードは、再充電管理回路を電源に接続された外部デバイスのＡＣ／ＤＣコンバータに接続するための手段を与える。シリアル・コミュニケーション・バスは、再充電管理回路を外部デバイスのホスト・コントローラに接続するための手段を与える。さらに、再充電管理回路は、複数の電気化学セルの少なくとも１つのセルにかかる最大電圧を検出するための手段、該セルにかかる最大充電容量を検出するための手段、該セルがほぼ最大電圧まで充電されている場合に該セルに流れる定電流を減少させるための手段、および／または、該セルがほぼ最大充電容量まで充電されている場合に該セルに流れる定電流を阻止する（arresting）ための手段を与えることができる。別のバッテリーパック構成例においては、複数の電気化学セルの少なくとも１つのセルにかかる最大電圧を検出するための手段の例は、１つまたは複数の第１電圧ディテクタ／コントローラおよび第２電圧ディテクタ／コントローラを備え、該セルの最大充電容量を検出するための手段は、電流センサを備える。
【０００８】
本発明にかかる他のバッテリーパックは、オプションのケーシング、および、該ケーシングから延びる入力デバイスを有する。該入力デバイスは、プロセッサに接続され、複数の電気化学セルの少なくとも１つのセルにかかるプリセット最大充電電圧および該セルにかかるプリセット最大充電容量は、１つまたは複数のプロセッサおよびシリアル・コミュニケーション・バスにプログラムされる。入力デバイスの例には、バイナリ・コントローラが含まれる。バイナリ・コントローラは、ボタン、タッチパッド、マウス、レバー、キーボード、ジョイスティック、または、トラックボールを含む。また、入力デバイスは、１つまたは複数の、複数の電気化学セルの少なくとも１つのセルにかかるプリセット最大電圧および該セルにかかるプリセット最大充電容量を操作するための手段を与える。
【０００９】
本発明の別の態様は、アルカリ亜鉛再充電可能バッテリーパックを充電するためのシステムを提供する。該システムは、ＡＣ／ＤＣコンバータおよびホスト・コントローラを備えたホスト・デバイス、ならびに、インタフェースにおいて該ホスト・デバイスと着脱可能に接続されるケーシングを有する。該ケーシングは、複数の電気化学セルを含み、該電気化学セルは、アルカリ性電解物質、アノード、および、カソードを備える。該アノードは、亜鉛を含む。該カソードは、銀、銀の酸化物、金属銀、または、それらからの組み合わせを含む。該アルカリ性電解物質は、アルカリ金属の含水金属水酸化物を含む。該システムは、ホスト・デバイスまたはケーシングの１つに付随した再充電管理回路を有する。該再充電管理回路は、該複数の電気化学セルに接続される。そして、再充電管理回路は、プロセッサ、該プロセッサに接続された第１電圧ディテクタ／コントローラ、該プロセッサに接続された第２電圧ディテクタ／コントローラ、および、該プロセッサに接続された電流センサを備え、第１電圧ディテクタ／コントローラ、第２電圧ディテクタ／コントローラ、および、電流センサは、複数の電気化学セルに接続される。
【００１０】
複数の実施形態においては、複数の電気化学セルは、３つの電気化学セルを備える電気化学セル第１バンク、３つの電気化学セルを備える電気化学セル第２バンクを含み、ここで、電流センサは、セル第１バンクおよびセル第２バンクの両方に接続され、第１電圧ディテクタ／コントローラは、セル第１バンクに接続され、第２電圧ディテクタ／コントローラは、セル第２バンクに接続される。
【００１１】
別の実施形態においては、再充電管理回路は、さらに、第１電圧ディテクタ／コントローラとプロセッサとに接続される充電電界効果トランジスタ、および、第２電圧ディテクタ／コントローラとプロセッサとに接続される放電電界効果トランジスタを含む。さらには、再充電管理回路は、ケーシング内部に配置可能であって、充電電界効果トランジスタから延びる少なくとも１つの第１ノード、放電電界効果トランジスタから延びる少なくとも１つの第２ノード、および、プロセッサから延びるシリアル・コミュニケーション・バスを備えるインタフェース第１端を与えることができる。複数の構成例においては、第１ノードおよび第２ノードは、再充電管理回路を電源に接続された外部デバイスのＡＣ／ＤＣコンバータに接続するための手段を与え、ここで、シリアル・コミュニケーション・バスは、再充電管理回路を外部デバイスのホスト・コントローラに接続するための手段を与える。
【００１２】
別の実施形態においては、再充電管理回路は、複数の電気化学セルの少なくとも１つのセルにかかる最大電圧を検出するための手段、該セルにかかる最大充電容量を検出するための手段、該セルがほぼ最大電圧まで充電されている場合に該セルに流れる定電流を減少させるための手段、および、該セルがほぼ最大充電容量まで充電されている場合に該セルに流れる定電流を阻止する（arresting）ための手段を与える。複数の電気化学セルの該セルにかかる最大電圧を検出するための手段は、１つまたは複数の第１電圧ディテクタ／コントローラおよび第２電圧ディテクタ／コントローラを備えることができ、該セルの最大充電容量を検出するための手段は、電流センサを備える。
【００１３】
本発明にかかる他のバッテリーパックは、ホスト・デバイスのホスト・コントローラ、および、ケーシングのプロセッサの１つまたは複数から延びる入力デバイスを有する。複数の電気化学セルの少なくとも１つのセルにかかるプリセット最大充電電圧および該セルにかかる最大充電容量は、プロセッサ、および、シリアル・コミュニケーション・バスの１つまたは複数にプログラムされる。複数の入力デバイスには、バイナリ・コントローラが含まれる。バイナリ・コントローラには、ボタン、タッチパッド、マウス、レバー、キーボード、ジョイスティック、または、トラックボールが含まれる。入力デバイスは、複数の電気化学セルの少なくとも１つのセルにかかるプリセット最大電圧および該セルにかかるプリセット最大充電容量の１つまたは複数を操作するための手段を与えることができる。ホスト・デバイスの例には、デスクトップ・コンピュータ・ワークステーション、ラップトップ・コンピュータ・ワークステーション、携帯音楽プレーヤ、携帯ビデオ・プレーヤ、携帯電話、デジタル・カメラ、および、全地球測位システムデバイス（グローバル・ポジショニング・システム・デバイス）の１つまたは複数が含まれる。
【００１４】
本発明の別の態様は、アルカリ亜鉛再充電可能バッテリーパックを充電するための方法を提供する。該方法は、複数の電気化学セルを供するステップであって、ここでの各電気化学セルはアルカリ性電解物質、アノード、および、カソードを備え、該アノードは亜鉛を含み、該カソードは銀、銀の酸化物、金属銀、または、それらからの組み合わせを含み、該アルカリ性電解物質は含水アルカリ金属水酸化物を含む、ステップと、該複数の電気化学セルに接続された再充電管理回路を供するステップであって、再充電管理回路が該複数の電気化学セルの少なくとも１つのセルにかかる電圧を検出するステップと、該セルの充電容量を検出するステップと、該セルがほぼ最大電圧まで充電されている場合に該セルに流れる定電流を減少させるステップと、該セルがほぼ最大充電容量まで充電されている場合に該セルに流れる定電流を阻止するステップと、を実行するために供されるステップと、を有する。
【００１５】
本発明にかかる複数の方法では、随意的に、定電流を減少させるステップの後であって定電流を阻止するステップの前に、追加ステップを有する。該方法は、さらに、検出した電圧が最大電圧以上であるかどうかを判断するステップを有し、そして、検出した電圧が最大電圧以上である場合に複数の電気化学セルの少なくとも１つのセルに流れる定電流をさらに減少させ、該セルの充電容量をもう一度検出して該セルの充電容量がほぼ最大容量まで充電されているかどうかを判断し、そして、該セルがほぼ最大容量まで充電されるまで該判断するステップ乃至該もう一度検出するステップをループし（繰り返し）、そして、該セルがほぼ最大容量まで充電されると阻止するステップへ進む。また別のステップとして、再充電管理回路とホスト・デバイスとがインタフェースで結合されるようにインタフェースを供するステップと、再充電管理回路に該インタフェースの第１端を与えるステップであって、ここでのインタフェース第１端は再充電管理回路とホスト・デバイスのＡＣ／ＤＣコンバータとを結合するための再充電管理回路から延びる１つまたは複数のノードと、再充電管理回路とホスト・デバイスのホスト・コントローラとを結合するための再充電管理回路から延びる少なくとも１つのシリアル・コミュニケーション・バスとを備えている、ステップと、が含まれる。複数の方法はまた、複数の電気化学セルの少なくとも１つのセルの最大容量を操作するための再充電管理回路と接続された入力デバイスを供するステップをも含む。
【００１６】
本発明の別の態様は、アルカリ亜鉛再充電可能バッテリーパックを充電するための方法を提供する。該方法は、複数の電気化学セルを供するステップであって、ここでの各電気化学セルはアルカリ性電解物質、アノード、および、カソードを備え、該アノードは亜鉛を含み、該カソードは銀、銀の酸化物、金属銀、または、それらからの組み合わせを含み、該アルカリ性電解物質は含水アルカリ金属水酸化物を含む、ステップと、複数の電気化学セルの少なくとも１つのセルにかかるユーザ定義目標容量を供するステップと、少なくとも１つの電気化学セルの開回路電圧を測定するステップと、該開回路電圧が開回路電圧値より大きいかあるいはより小さいかを判断するステップと、該電気化学セルを充電するための期間を算出するステップと、供されたユーザ定義目標容量に従って該電気化学セルの充電期間を制限するステップと、を有する。複数の方法においては、開回路電圧閾値は、およそ１．７Ｖである。また他の方法においては、該閾電圧は、およそ１．９Ｖである。
【００１７】
複数の方法は、さらに、該電気化学セルに充電電流を流すステップと、該セルが閾電圧に到達するための時間を求めるステップと、を有する。他の方法は、さらに、該電気化学セルの放電深度を第１式および第２式を用いて算出するステップであって、ここでの第１式は求めた開回路電圧が開回路電圧閾値よりも大きい場合に用いられ、第２式は求めた開回路電圧が開回路電圧閾値よりも小さい場合に用いられる、ステップ、を有する。また本方法において有用な別のステップとして、複数の電気化学セルの少なくとも１つのセルにかかる充電状態を、算出した放電深度、求めた時間、および、流した充電電流を用いて算出するステップ、が含まれる。上記期間を算出するステップは、供されたユーザ定義目標容量、算出された充電状態、および、流した充電電流を用いて実施することができる。
【図面の簡単な説明】
【００１８】
【図１】本発明の実施形態例によるホスト・デバイスに接続された再充電可能バッテリーパックの概略図
【図２】本発明の実施形態例による図１の再充電可能バッテリーパック充電アルゴリズムの論理流れ図
【図３】本発明の実施形態例による再充電バッテリーパックの公称電圧及び電流の充電特性を示すグラフ
【図４】本発明の実施形態例による図１の再充電可能バッテリーパック充電アルゴリズムの論理流れ図
【図５】本発明の実施形態例によるホスト・デバイスに接続された再充電可能バッテリーパックの概略図
【図６】本発明の実施形態例によるホスト・デバイスに接続された再充電可能バッテリーパックの概略図
【図７】本発明の実施形態例によるホスト・デバイスに接続された再充電可能バッテリーパックの概略図
【図８】本発明の実施形態例によるホスト・デバイスに接続された再充電可能バッテリーパックの概略図
【図９】本発明の実施形態例によるホスト・デバイスに接続された再充電可能バッテリーパックの概略図
【図１０】本発明の実施形態例による再充電可能バッテリーパックの充電および放電のプロファイルを示す例図
【図１１】本発明の実施形態例による再充電可能バッテリーパック充電アルゴリズムの流れ図
【図１２】本発明の実施形態例によるおよそ１０％の電荷残量を有する複数の再充電可能バッテリーパックについての、およそ１００％電荷残量までの複数の充電曲線のプロット
【図１３】本発明の実施形態例によるおよそ５０％の電荷残量を有する複数の再充電可能バッテリーパックについての、およそ１００％電荷残量までの複数の充電曲線のプロット
【図１４】本発明の実施形態例によるおよそ１０％の電荷残量を有する複数の再充電可能バッテリーパックについての、およそ４０％電荷残量までの複数の充電曲線のプロット
【図１５】本発明の実施形態例による、図１２のプロットに基づく１．９Ｖ閾電圧を跨ぐために要する時間のプロット
【図１６】本発明の実施形態例による図１５にプロットした曲線の部分図
【図１７】本発明の実施形態例による図１５にプロットした曲線の部分図
【図１８】本発明の実施形態例による図１２乃至１７のプロットに関するデータの表
【発明を実施するための形態】
【００１９】
以下、添付の図面を参照し本願の開示内容について説明する。
【００２０】
図面は、本発明の実施形態例による再充電可能バッテリーおよびそれを充電するための方法を例示する。上述のように、本願において使用する用語は便宜上のものであり、本発明の説明に用いている語は、当業者が解する最も広い意味を含むと解されるべきである。
【００２１】
図１を参照すれば、１０に、本発明の実施形態例によるバッテリーパックが示される。バッテリーパック１０は、着脱可能にホスト・デバイスと接続され、電力供給可能になっている。本発明の実施形態例によるホスト・デバイスは、概ね７５として図示される。
【００２２】
実施形態例においては、バッテリーパック１０は、該バッテリーパックの定格容量（rated capacity）について、およそ０％からおよそ１００％までの範囲の電荷容量（charge capacity）を備える。バッテリーパック１０が完全に充電されたという場合には、電荷容量は、１００％もしくはおよそ１００％である。ホスト・デバイス７５に電力を供するようにバッテリーパック１０が接続された後、バッテリーパック１０が接続の電荷容量は、定格容量についておよそ１００％未満の電荷容量にまで激減あるいは低減されてよい。バッテリーパック１０の電荷容量は、激減あるいは低減された電荷容量から所望の電荷容量まで、バッテリーパック１０を再充電することで補充される。そのため、バッテリーパック１０は、再充電可能バッテリーパック１０と称される。
【００２３】
実施形態例においては、再充電可能バッテリーパック１０を再充電することを目的としてエネルギが再充電可能バッテリーパック１０へ送られてよい。該再充電可能バッテリーパック１０を充電するための方法は、本願開示においてより詳細に説明する。
【００２４】
実施形態において、再充電可能バッテリーパック１０は、本体、即ち、ケーシング１２を有してよい。この本体／ケーシング１２は、剛性を有してよい。ケーシング１２の内部には、複数のセル１４を配してよい。実施形態において、複数のセル１４の各セル１４ａ−１４ｆは、電気化学セル、ガルバニ電気化学セル、等と称されてよい。
【００２５】
実施形態において、電気化学セルは、２つの電極（つまりアノードおよびカソード）、ならびに、電解物質（つまり電子および陽イオン（カチオン）の移動を容易にする導電性媒質として振る舞う物質）を有するセルである。電解物質は、例えば、アルカリ剤の水溶液といった物質の混合物を含んでよい。電解物質はさらに添加物を含んでよい。添加物は、例えば、ホウ酸塩、リン酸塩等を含む緩衝材でよい。実施形態においては、当然のことだが、例えば、金属−空気セルといった電気化学セルは、２つの電極を有するものに限定されず、例えば、３つの電極を備えてよく、この場合、空気電極はスプリット（分割）されている（つまり空気電極は酸素を還元し、放電に際して酸素を解放する。）。
【００２６】
実施形態において、複数のセル１４の各セル１４ａ−１４ｆは、（ａ）銀、（ｂ）銀の酸化物、（ｃ）金属銀、もしくは、それらからの組み合わせを含んだカソードを有する少なくとも１つの電気化学セルを含んでいる。実施形態において、複数のセル１４の各セル１４ａ−１４ｆは、亜鉛を含んだアノードを有する少なくとも１つの電気化学セルを含んでいる。実施形態において、複数のセル１４の各セル１４ａ−１４ｆは、アルカリ金属の含水水酸化物を含んだアルカリ電解物質を含んでいる。実施形態において、電解物質は、ＬｉＯＨ、ＮａＯＨ、ＫＯＨ、ＣｓＯＨ、ＲｂＯＨ、もしくはこれらからの任意の組み合わせを含んでよい。
【００２７】
実施形態において、複数のセル１４は、任意の手法で構成され、１つまたは複数のセル・バンク１６ａ、１６ｂを備えてよい。実施形態において、複数のセル１４は、セル第１バンク１６ａ、および、セル第２バンク１６ｂにグループ化されてよい。実施形態において、セル第１バンク１６ａおよびセル第２バンク１６ｂは、それぞれ、１４ａ−１４ｃ、１４ｄ−１４ｆとして示される直列に構成された３つのセルを含んでよい。複数のセル１４は、それぞれ３つのセル１４ａ−１４ｃ、１４ｄ−１４ｆを有する２つのセル・バンク１６ａ、１６ｂを含むようにグループ化されているが、当然ながら、複数のセル１４は、特定の構成、特定数のセル・バンク１６ａ、１６ｂ、あるいは、特定数の個別セル数１４ａ−１４ｃ、１４ｄ−１４ｆ、に限定されることはなく、本発明は、任意数の個別セルのグループ１４ａ−１４ｃ、１４ｄ−１４ｆを備えた任意の所望の数のセル・バンク１６ａ、１６ｂについて実施可能である。
【００２８】
実施形態において、複数のセル１４は、制御下で再充電される。実施形態において、再充電可能バッテリーパック１０は、本発明の実施形態による１８として示される再充電管理回路を備えてよい。実施形態において、複数のセル１４は、１つまたは複数のノード２０ａ−２０ｃによって再充電管理回路１８と接続される。
【００２９】
実施形態において、再充電可能バッテリーパック１０は、着脱可能に、インタフェース２２においてホスト・デバイス７５と接続される。実施形態において、再充電可能バッテリーパック１０は、インタフェース２２の第１端２６を構成する、再充電管理回路１８から延びる１つまたは複数のノード２４ａ−２４ｃを備えてよい。インタフェース２２の第２端は７７で示され、これは、ホスト・デバイス７５の回路７９へ延びる。実施形態において、ホスト・デバイス７５の回路７９は、主電源システムに接続されてよく、これは、通例本発明の実施形態によればＡＣで示される。
【００３０】
実施形態において、再充電管理回路１８は、例えば図２に示す新規な充電アルゴリズムＳ１００を実行することができる。図２を参照すれば、アルゴリズムＳ１００は、ステップＳ１０１において、再充電可能バッテリーパック１０の最大電圧、開回路を検出するステップを含む。実施形態において、複数のセル１４は、例えば、最大電圧がおよそ３．０Ｖ未満である銀亜鉛酸化物セルを含んでよい。
【００３１】
本願において用いられる「最大電圧」、「最大充電電圧」、「開回路最大電圧」、および、「開回路電圧閾値」は、交換可能に用いられ、電気化学セルが充電可能な最大の電圧を指す。幾つかの例において、「最大電圧」は、「定格電圧」と等しくすることが可能であり、これは、意図されたセルの用途と干渉することなく電気化学セルを充電可能な最大の電圧であり、場合によっては、最大電圧はバッテリーのユーザが選択可能である。例えば、携帯電子デバイスにおいて有用とされるある種の銀亜鉛電気化学セルにおいては、最大電圧は、およそ３．０Ｖ未満である。（例えば、およそ２．８Ｖ未満、およそ２．５Ｖ未満、およそ２．３Ｖ以下、または、およそ２．０Ｖである。）携帯電子デバイスにおいて有用とされる他種のバッテリー、例えば、リチウムイオン・バッテリーにおいては、最大電圧は、およそ１５．０Ｖ未満（例えば、およそ１３．０Ｖ未満、または、およそ１２．６Ｖ以下である。）バッテリーの最大電圧は、バッテリーの有用年数、保管寿命（有効期間）を構成する充電サイクル数、該バッテリーにかかる電力需要、バッテリーの電極の構成、および、バッテリーに使用されている活性物質の量に依存して変化することがある。
【００３２】
アルゴリズムＳ１００は、ステップＳ１０２において、実質上一定の電流で再充電可能バッテリーパック１０を充電するステップを含んでいる。図３を参照すれば、実施形態において、最大電圧は、およそ１．９５Ｖに等しく、そして、定電流は、およそ０．３Ａに等しい。これらは、該グラフの区間Ａ１において示される。実施形態において、グラフの区間Ａ１は、アルゴリズムＳ１００の「定電流」モードと称されてよい。
【００３３】
本願で用いるように、「定電流」、「定充電電流」は、バッテリーの電極に対する陽電荷の流速を指す。定電流は、実質的には一定速度での陽電荷の流れである。例えば、定電流は、陽電荷の流速が１０％よりも大きく変化しないことを意味することもできる。（例えば、５％よりも大きく、２％よりも大きく、１％よりも大きく、または、０．５％よりも大きく。）例えば、定電流は、例えば、０．５±０．０５アンペアであってよい。
【００３４】
図２を参照すれば、アルゴリズムＳ１００は、ステップＳ１０２の後に、再充電可能バッテリーパック１０をモニタリングして充電容量（つまり、電荷の状態）および再充電可能バッテリーパック１０の電圧を、ステップＳ１０３において検出し、そして、ステップＳ１０４において、再充電可能バッテリーパック１０がおよそその最大電圧まで充電されている場合には、定電流を低減させるステップを含む。図３を参照すれば、定電流は、連続的に、あるいは、例えば、１ミリＡからおよそ１２０ミリＡの段階的な増加量で、低減されてよく、ここでは、グラフの区間Ａ２において示される。実施形態において、ホスト・デバイス７５は、例えば、ラップトップ・コンピュータ・ワークステーションを含むならば、定電流は、連続的に、または、段階的に（例えば、およそ１００ミリＡステップで）低減されてよい。実施形態において、グラフの区間Ａ２は、アルゴリズムＳ１００の「定電圧」モードと称されてよい。
【００３５】
図２を参照すれば、アルゴリズムＳ１００は、ステップＳ１０４の後、ステップＳ１０５においてバッテリーパックに対して現在の調整された低位電流を流すステップと、ステップＳ１０６において再充電可能バッテリーパック１０が最大容量まで充電されたかどうかを判断するステップと、を有する。ひとたび再充電可能バッテリーパック１０の最大容量が実現されると、アルゴリズムＳ１００は、ステップＳ１０９において定電流を阻止するステップを含む、これは、図３のグラフにおいて区間Ａ３として示される。パック１０にかかる最大容量が実現されているか否かを判断する方法の１つとして、充電電流を除いてバッテリーの開回路電圧をモニタリングする、という方法がある。開回路電圧が所定の最大電圧より高く所定の期間留まるならば、バッテリーはその最大容量まで充電されている。
【００３６】
本願で用いるように、「最大容量」、「最大充電容量」は、交換可能に用いられており、少なくとも１つの充電サイクルにおいてバッテリーに充電可能な電気エネルギの最大の容量を指す。最大容量の値は、およそ０Ａｈ（アンペア・アワー、または、アンプ・アワー）からバッテリーの理論容量未満の容量までの範囲にあるいずれかの値である。最大容量は、バッテリーの製造者によって決定可能であり、あるいは、いくつかの事例においては、ユーザが決定可能である。（例えば、人間、ソフトウェア、あるいは、ファームウェア。）
【００３７】
ステップＳ１０４において、当然のことだが、句「およそその最大電圧」は、例えば、その最大電圧を包含する電圧範囲に含まれる電圧を意味してよい。実施形態において、最大電圧を包含する範囲は、最大電圧と実質等しく僅かに低い低電圧限界と、最大電圧と実質等しく僅かに高い高電圧限界とを含んでよい。よって、当然のことだが、アルゴリズムＳ１００は、ステップＳ１０７およびＳ１０８を備えることにより、再充電可能バッテリーパック１０の検出した電圧が、実施形態において、当該電圧範囲に含まれるかどうかを判断してよい。その場合、再充電可能バッテリーパック１０の電圧が、例えば、当該電圧範囲（つまり、ステップＳ１０７において）に含まれる電圧にまで充電されていると判断されると、定電流は（つまりステップＳ１０８において）さらに低減され、当該電圧を例えば、当該電圧範囲の低電圧限界未満の電圧まで減少させる。当然のことだが、ステップＳ１０５からステップＳ１０８は、ループされることにより、ステップＳ１０６において再充電可能バッテリーパック１０がおよそ最大容量まで充電されるまで、当該電圧および定電流をさらに調整してよい。ここでは、ループから抜け出ることでステップＳ１０９において定電流が阻止される。しかしながら、当然のことだが、再充電管理回路１８は、アルゴリズムＳ１００に限定されるものではない。実施形態において、再充電管理回路１８は、本発明の実施形態による図４にアルゴリズムＳ２００としてしめされる代替の新規なアルゴリズムを備えてよい。実施形態において、アルゴリズムＳ２００は、ステップＳ２０１からステップＳ２０９までを含んでいる。しかしながら、ステップＳ１０７に記したようなおよそ最大電圧にある電圧をモニタリングするステップの他に、ステップＳ２０７では、再充電可能バッテリーパック１０の最大電圧におよそ等しいかあるいは超過する電圧をモニタリングする。
【００３８】
図４を参照すれば、（ステップＳ２０６に続く）ステップＳ２０７は、再充電可能バッテリーパック１０の電圧レベルが再充電可能バッテリーパック１０の最大電圧に等しいかあるいは超過しているかどうかを判断する。該電圧が再充電可能バッテリーパック１０の最大電圧に等しいかあるいは超過している場合、アルゴリズムＳ２００は、ステップＳ２０８へ移行し、定電流がさらに低減されて再充電可能バッテリーパック１０の電圧が低減される。そして、アルゴリズムＳ２００は、ステップＳ２０８の後、ステップＳ２０５に戻り、ここでは、さらに低減される定電流が再充電可能バッテリーパック１０に流される。アルゴリズムＳ２００は、ステップＳ２０５からステップＳ２０６へ移行する。
【００３９】
実施形態において、当然のことだが、ステップＳ２０６〜Ｓ２０７は、再充電可能バッテリーパック１０の電圧が、再充電可能バッテリーパック１０の最大電圧におよそ等しくそれ未満になるまでループされてよい。よって、実施形態において、定電流は、電圧が最大電圧と実質的に等しくかつ僅かに小さくなるまで、１回または複数回にわたって、低減されてよい。ひとたび、アルゴリズムが上述のようにループを開始し、そして、再充電可能バッテリーパック１０がおよそ最大容量まで充電されると、アルゴリズムＳ２００は、ステップＳ２０９へ移行する。ここでは、低減された／さらに低減された定電流が阻止される。
【００４０】
上述の複数のアルゴリズムは、複数のステップＳ１０１−Ｓ２０９、および、Ｓ２０１−Ｓ２０９を備えたが、当然の事ながら、アルゴリズムＳ１００、Ｓ２００のステップは上述のステップ群に限定されない。実施形態において、例えば、１つまたは複数の追加ステップを導入し、さらに、再充電可能バッテリーパック１０の寿命、効率等を向上させてもよい。例えば、再充電可能バッテリーパック１０が複数のセル１４を有する場合、アルゴリズムＳ１００、Ｓ２００は、最大電圧にまで充電されている複数のセル１４の１つまたは複数のセル１４ａ−１４ｆにかかる電流をシャントすることにより、複数のセル１４の各セル１４ａ−１４ｆを均衡化（balancing）する追加ステップを備えてよい。よって、当然のことだが、追加ステップは、各アルゴリズムＳ１００およびＳ２００にかかる広い概念から逸脱することなしに、各アルゴリズムＳ１００、Ｓ２００に追加することが可能である。
【００４１】
図５を参照すれば、本発明の実施形態による再充電可能バッテリーパック１０の概略図が示される。実施形態において、再充電管理回路１８は、プロセッサ２８を備えてよい。実施形態において、プロセッサは、３０として概括的にしめされるメモリを含んでよい。実施形態において、プロセッサ２８は、上述のアルゴリズムＳ１００、Ｓ２００の１つまたは複数の実行するためのロジックを備えてよい。
【００４２】
実施形態において、再充電管理回路１８は、電流センサ３２を備えてよい。電流センサ３２は、１つまたは複数のノード３４によってプロセッサ２８と接続されてよい。実施形態において、電流センサは、１つまたは複数のノード２０ａによって、セル第１および第２バンク１６ａ、１６ｂのそれぞれと接続されてよい。
【００４３】
実施形態において、再充電管理回路１８は、第１電圧ディテクタ／コントローラ回路３６を備えてよい。第１電圧ディテクタ／コントローラ回路３６は、１つまたは複数のノード３８によってプロセッサ２８と接続されてよい。実施形態において、第１電圧ディテクタ／コントローラ回路３６は、１つまたは複数のノード２０ａによってセル第１バンク１６ａと接続されてよい。実施形態において、電圧ディテクタ／コントローラ回路３６は、複数の電気化学セル１４の１つまたは複数のセル１４ａ−１４ｃの電圧を測定し、１つまたは複数のセル１４ａ−１４ｃからの当該電圧情報を、プロセッサ２８へ通信する。
【００４４】
実施形態において、再充電管理回路１８は、第２電圧ディテクタ／コントローラ回路４０を備えてよい。第２電圧ディテクタ／コントローラ回路４０は、１つまたは複数のノード４２によってプロセッサ２８と接続されてよい。実施形態において、第２電圧ディテクタ／コントローラ回路４０は、１つまたは複数のノード２０ｃによってセル第２バンク１６ｂと接続されてよい。実施形態において、電圧ディテクタ／コントローラ回路４０は、複数の電気化学セル１４の１つまたは複数のセル１４ｄ−１４ｆの電圧を求め、当該１つまたは複数のセル１４ｄ−１４ｆからの電圧情報を、プロセッサ２８へ通信する。
【００４５】
実施形態において、再充電管理回路１８は、充電電界効果トランジスタ（ＦＥＴ）４４および放電ＦＥＴ４６を備えてよい。実施形態において、第１電圧ディテクタ／コントローラ回路３６および第２電圧ディテクタ／コントローラ回路４０の両者は、それぞれ、各ＦＥＴのノード４８および５０を介して充電ＦＥＴ４４および放電ＦＥＴ４６に接続される。実施形態において、充電および放電ＦＥＴ４６、５０のそれぞれは、１つまたは複数のノード５２、５４によってプロセッサと接続されてよい。機能的には、エラー／フォールト条件（例えば、過電圧、過電流等）が検出されると、第１または第２電圧ディテクタ／コントローラ３６、４０、または、プロセッサ２８が、充電および放電ＦＥＴ４４、４６の両者をオフにして、再充電可能バッテリーパック１０をダメージから保護する。当然のことだが、実施形態において、プロセッサ２８ならびに第１および第２電圧ディテクタ／コントローラ３６、４０の１つまたは複数は、充電および放電ＦＥＴ３３、４６の両者をオフにすることにより機能してもよい。しかしながら、当然のことだが、実施形態において、プロセッサ２８は、充電および放電ＦＥＴ４４、４６の両者をオンにすることにより機能してもよい。実施形態において、第１および第２電圧ディテクタ／コントローラ３６、４０は、アナログおよびデジタルの技術を用いて、別個の構成要素として実装されても、集積回路として実装されてもよい。
【００４６】
実施形態において、充電ＦＥＴ４４から延びる１つまたは複数のノード２４ａは、インタフェース２２の第１端２６の一部分を構成する。実施形態において、放電ＦＥＴ４６から延びる１つまたは複数のノード２４ｂは、インタフェース２２の第１端の一部分を構成する。実施形態において、１つまたは複数のノード２４ａ、２４ｂは、ホスト・デバイス７５の回路７９のＡＣ／ＤＣコンバータ８１に接続する。ＡＣ／ＤＣコンバータ８１は、主電源システムＡＣと接続する。
【００４７】
実施形態において、プロセッサ２８から延びる１つまたは複数のノード２４ｃは、インタフェース２２の第１端２６の一部分を構成する。実施形態において、１つまたは複数のノード２４ｃは、シリアル・コミュニケーション・バスを有し、当該バスはホスト・デバイス７５の回路７９のホスト・コントローラ８３に接続する。
【００４８】
実施形態において、プロセッサ２８は、ＴＥＸＡＳ  ＩＮＳＴＲＵＭＥＮＴＳ（登録商標）（テキサス・インスツルメンツ）ＳＢＳ準拠ガス・ゲージＩＣ（部品番号ＢＱ２０８４−ＤＢＴ）を含んでよい。これは、第１および第２電圧ディテクタ／コントローラ３６、４０との利用に適している。機能的には、プロセッサ２８は、複数のセル１４の容量、その他のパラメータをモニタし、これらの特性を、シリアル・コミュニケーション・バス２４ｃを介してホスト・コントローラ８３に通信する。プロセッサ２８のメモリ３０は、最大電圧、最大充電電流、最大容量等といった複数のセル１４の特性に従ってプログラムされてよい。
【００４９】
実施形態において、第１および第２電圧ディテクタ／コントローラ３６、４０は、ＴＥＸＡＳ  ＩＮＳＴＲＵＭＥＮＴＳ（登録商標）（テキサス・インスツルメンツ）の保護アナログ・フロントエンドＩＣ（部品番号ＢＱ２９３１２）を備えてよい。当該ＩＣは充電および放電ＦＥＴ４４、４６ならびに電流センサ３２と協調して動作する。実施形態において、充電および放電ＦＥＴ４４、４６は、市場で入手可能なＩｎｔｅｒｎａｔｉｏｎａｌ  Ｒｅｃｔｉｆｉｅｒ  Ｃｏｍｐａｎｙのトランジスタスイッチ（部品番号ＩＲＦ７３２８）を備えてよい。実施形態において、電流センサは、センシング・レジスタ（sense resistor）、クーロン・カウンタ（coulomb counter）等を備えてよい。
【００５０】
実施形態において、再充電可能バッテリー１０を充電するための充電サイクルが開始されると、プロセッサ２８は、最大充電容量をホスト・コントローラ８３に伝達する。再充電可能バッテリーパック１０がホスト・デバイス７５と相互接続される前において、ホスト・コントローラ８３は、再充電可能バッテリーパック１０の特性に関するデータを所持していない。例えば、再充電可能バッテリーパックが上記したような複数の銀亜鉛電気化学セル１４を含んでいれば、プロセッサ２８は、ホスト・デバイス７５に、当該複数の銀亜鉛電気化学セル１４のステータス情報およびその他のバッテリー仕様（例えば、最大充電容量、充電電流、充電状態等を集約した「メタ・データ」）を伝達する。そして、ホスト・コントローラ８３は、次に、当該メタ・データを、再充電管理回路１８のオン／オフを切り換えるためにホスト・デバイス７５の中央処理装置（図示せず）に伝達し、再充電可能バッテリーパック１０が該ホスト・デバイス７５と相互接続してよい認可モデル／タイプ（approved model/type）であるかどうかを判断する。上述のように、プロセッサ２８は、デフォルトの最大容量でプログラムされてよく、これはホスト・コントローラ８３から最大容量が提供されない場合に使用される。
【００５１】
実施形態において、第１および第２電圧ディテクタ／コントローラ３６、４０は、複数のセル１４の各セル１４ａ−１４ｆについての最大電圧でプログラムされてよい。実施形態において、未調整の電流が、主電源システムＡＣからＡＣ／ＤＣコンバータ８１に流れ、ＡＣ／ＤＣコンバータ８１が、第１および第２電圧ディテクタ／コントローラ３６、４０にＤＣ電流を提供する。実施形態において、充電ＦＥＴ４４、４６は、複数の電気化学セル１４の１つまたは複数が充電されるべき場合にプロセッサ２８によって（ノード４８、５０を介して）オンされる。そして、実施形態において、プロセッサ２８は、充電サイクルが完了したときに充電ＦＥＴ４４、４６をオフにする。実施形態において、プロセッサならびに電圧ディテクタ／コントローラ３６および４０は、すべて、例えばエラー／フォールト条件が生じた場合には、随時、充電および放電ＦＥＴ４４、４６をオフにしてよい。
【００５２】
実施形態において、セル１４ａ−１４ｆが充電中は、第１および第２電圧ディテクタ／コントローラ３６および４０が、複数のセル１４の各セル１４ａ−１４ｆにおける電圧をモニタする。（つまり、実施形態において、電圧モニタは、第１および第２電圧ディテクタ／コントローラ３６、４０を有する。）実施形態において、セル１４ａ−１４ｆの１つまたは複数であってセル１４ａ−１４ｆの全てよりは少ない数のセルが最大電圧閾値まで充電されると、プロセッサ２８は、電圧ディテクタ／コントローラ３６、４０を通じて、電流を最大電圧を有する１つまたは複数のセル１４ａ−１４ｆから迂回させるバイパスを確立し、最大電圧未満の電圧を有する１つまたは複数のセル１４ａ−１４ｆの残りのセルの充電を続行する。実施形態において、セル１４ａ−１４ｆのそれぞれが最大電圧まで充電され、かつ、最大容量未満であると、第１および第２電圧ディテクタ／コントローラ３６、４０は、充電電流を低減させて電圧降下を生じさせ、複数のセル１４の充電を継続する。
【００５３】
実施形態において、電流センサ３２は、バッテリー電流を検出する。この情報はプロセッサ２８によって読み取られる。実施形態において、バッテリー電流情報は、電気的アナログ信号にエンコードされる。実施形態において、バッテリー電流は、プロセッサ２８によって読み出され、プロセッサ２８は、電流を時間的に積分して総電荷量（total coulombs）を求める。次に、総電荷量（トータル・クーロン）を用い、複数のセル１４が最大容量にまで充電されているかどうか／されるとき、を判断することができる。最大容量にまで到達すると、プロセッサは、充電および放電ＦＥＴ４４、４６を係合し、電流が複数のセル１４に流れることを阻止する。実施形態において、電流センサは、高精度、低オーム数レジスタである。
【００５４】
当然のことだが、再充電可能バッテリーパック１０と関係付けられる再充電管理回路１８は、例えば、コミュニケーション・バスを有する二次電池のような、適当なバッテリーの充電または放電に有用である。実施形態において、コミュニケーション・バスは、バッテリーに取り付けられてよい。実施形態において、ホスト・コントローラ８３あるいはプロセッサ２８のいずれかが、バッテリーの最大電圧および／または最大容量といったソフトウェアおよび／またはファームウェア情報を記憶すればよい。実施形態において、ホスト・コントローラ８３あるいはプロセッサ２８は、例えば、充電電流値、充電サイクルにおいて行われる電流の漸進的低減にかかる定量的値の１つまたは複数、バッテリーの物理的特性を示すその他の情報といった情報でプログラムされてよい。実施形態において、バッテリーの充電を開始するために、再充電管理回路１８はホスト・コントローラ８３あるいはプロセッサ２８に格納された少なくとも最大電圧が含まれる情報を読み取る。実施形態において、再充電管理回路１８は、上述の充電アルゴリズムと協働して少なくとも最大電圧を用い、また、電圧モニタ、容量モニタ、および、電圧ディテクタ／コントローラを用いて、再充電管理回路１８は、当該充電アルゴリズム（例えば、図２および４におけるＳ１００またはＳ２００）に基づくバッテリー充電または再充電を実行する。このようなバッテリー管理システムにおいて、電圧モニタおよび容量モニタは、電圧ディテクタ／コントローラと通信する。
【００５５】
再充電管理回路１８は、再充電可能バッテリーパック１０に付随するとして説明したが、当然の事ながら、該記載は、再充電可能バッテリーパック１０の実装携帯例の例示である。代替的実施形態において、再充電管理回路１８は、スタンドアロンのバッテリー充電器、ホスト・デバイス７５等に付随してもよい。
【００５６】
図６を参照すれば、本発明の実施形態による再充電可能バッテリーパックは、１００で示される。実施形態において、再受電可能バッテリーパック１００は、上述した再充電可能バッテリーパック１０と実質上同様の動作をする。しかしながら、再充電可能バッテリーパック１００は、１０２で示される入力デバイスを有する点で再充電可能バッテリーパック１０と異なる。図７を参照すれば、入力デバイスは、ノード１０４によって、プロセッサ２８に接続されてよい。
【００５７】
実施形態において、入力デバイス１０２は、ボタン、タッチパッド、マウス、レバー、キーボード、ジョイスティック、トラックボール等を備えてよく、これにより、ユーザは、再充電管理回路１８のアルゴリズムＳ１００、Ｓ２００を操作することが可能になる。実施形態において、アルゴリズムＳ１００、Ｓ２００の操作には、最大容量の設定の調節が含まれてよい。
【００５８】
実施形態において、再充電可能バッテリーパック１０あるいは１００の最大容量は、工業規格（業界標準）に従って製造者が選択して設定することが可能である。よって、ユーザが、製造者による最大容量の設定まで再充電可能バッテリーパック１００が充電されないようにすることで、再充電可能バッテリーパック１００の寿命を延ばすことを望むような場合には、ユーザは、入力デバイス１０２を用いてアルゴリズムＳ１００、Ｓ２００を操作することにより最大容量の設定を選択的に低減させてよい。
【００５９】
代替的実施形態において、東漸のことだが、アルゴリズムＳ１００、Ｓ２００の操作は、再充電可能バッテリーパック１００から延びる入力デバイス１０２に限定されない。すなわち、実施形態において、入力デバイス８５をホスト・デバイス７５に備えてもよい。実施形態において、ホスト・デバイス７５の入力デバイス８５をホスト・コントローラ８３と接続してもよい。あるいは、実施形態において、アルゴリズムＳ１００、Ｓ２００の操作は、ソフトウェア、ファームウェア等によって選択されてもよい。
【００６０】
図８を参照すれば、ホスト・デバイス７５は、デスクトップ・コンピュータ・ワークステーションを含んでよい。実施形態において、再充電可能バッテリーパック１０、１００は、上述のインタフェース２２を介し、デスクトップ・コンピュータ・ワークステーション７５に接続されてよい。実施形態において、デスクトップ・コンピュータ・ワークステーション７５の入力デバイス８５は、キーボード８７等を備えてよい。実施形態において、最大容量設定の操作は、デスクトップ・コンピュータ・ワークステーション７５のモニタ８９上に表示されてよい。
【００６１】
図９を参照すれば、代替的実施形態において、ホスト・デバイス７５は、ラップトップ・コンピュータ・ワークステーションを含んでよい。実施形態において、再充電可能バッテリーパック１０、１００は、ラップトップ・コンピュータ・ワークステーション７５のバッテリー用キャビティ内に設置されてよい。実施形態において、入力デバイス１０２は、再充電可能バッテリーパック１００から延びて、ラップトップ・コンピュータ・ワークステーション７５の側部９１に近接してよい。上述したものと同様、ラップトップ・コンピュータ・ワークステーション７５の入力デバイス８５は、キーボード、マウスタッチパッド８７等を備えた入力デバイス８５を含んでよい。実施形態において、最大容量設定の操作は、ラップトップ・コンピュータ・ワークステーション７５のモニタ８９上に表示されてよい。
【００６２】
図１０を参照すれば、本発明の実施形態例により、再充電可能バッテリーパック１００の充電および放電のプロファイルのグラフが示される。実施形態において、電流曲線は、Ｉで示され、電圧曲線は、Ｖで示され、電荷曲線は、Ｃで示される。実施形態において、図１０のグラフは、本発明の実施形態による、３つの充電−放電サイクルＢ１、Ｂ２、Ｂ３が示される。
【００６３】
実施形態において、電流曲線Ｉによれば、各充電−放電サイクルＢ１−Ｂ３はそれぞれ、およそ０．３Ａの定充電電流、および、およそ−０．４Ａの定放電電流を伴う下位部分を含んでいる。実施形態において、定電流曲線Ｉが高い（つまりおよそ０．３Ａ）場合、電荷曲線Ｃは、正の傾きを有し、定電流曲線Ｉが低い（つまりおよそ−０．４Ａ）場合、電荷曲線Ｃは、不の傾きを有する。
【００６４】
実施形態において、電流曲線Ｉが高い期間は、ユーザによって、上述の入力デバイス８５、１０２を通じてコントロール可能である。よって、第１の充電−放電サイクルＢ１に見られるように、ユーザは、充電期間を、入力デバイス８５、１０２を通じて、およそ３時間（つまり１６７時間から１７１時間まで）に設定することが可能であり、そうすることにより、ホスト・デバイス７５は、ユーザの使用のため動作した場合、再充電可能バッテリーパック１００が放電される期間は、およそ３時間となった（つまり、１７１時間から１７４時間まで。）。
【００６５】
第２の充電−放電サイクルＢ２を参照すれば、ユーザは、ホスト・デバイス７５をより長期間使用できることを希望する。その場合、ユーザは、充電期間をおよそ６時間に設定する（つまり、１７４時間から１８０時間まで。）。充電−放電サイクルＢ１における期間よりも長い期間にわたり再充電可能バッテリーパック１００を充電した結果、ユーザは、再充電可能バッテリーパック１００の容量を増加させることが可能となり、よって、ホスト・デバイス７５を動作させるために用いることができる電力の量が増大する。例示するように、再充電可能バッテリーパック１００をおよそ６時間にわたって充電することにより、およそ４時間にわたり（つまり、１８０時間から１８４時間まで）ホスト・デバイス７５を動作可能な電力を蓄電した。
【００６６】
上述の実施形態では、ホスト・デバイス７５としてデスクトップまたはラップトップのコンピュータ・ワークステーションを示したが、当然の事ながら、ホスト・デバイス７５は、デスクトップまたはラップトップのコンピュータ・ワークステーションに限定されない。実施形態において、ホスト・デバイス７５は、例えば、携帯音楽プレーヤ、携帯ビデオ・プレーヤ、携帯電話、デジタル・カメラ、グローバル・ポジショニング・システム・デバイス、それらからの組み合わせ、を含んでよい。
【００６７】
図１１乃至２０を参照すれば、本発明の実施形態により、再充電バッテリーパック１０、１００を充電するための方法が示される。該方法は、概して、例えば１つまたは複数の入力デバイス８５、１０２によってユーザが入力する所望の目標容量（Ｃｔ）に応じて再充電可能バッテリーパック１００を過充電することを防止する。よって、該方法は、一般に、（ａ）バッテリー内に存在する電荷の量を求め、（ｂ）ユーザが入力する希望目標容量（Ｃｔ）を受け取り、（ｃ）再充電可能バッテリーパック１００を充電するために要する残り充電時間（ｔｒ）を求める。
【００６８】
実施形態において、本発明の実施形態により、アルゴリズムは、図１１にＳ３００として示される。実施形態において、アルゴリズムＳ３００は、再充電可能バッテリーパック１０、１００の充電に関与するものである。該アルゴリズムは、ａ）ステップＳ３０１−Ｓ３０６において、現在のバッテリー放電の程度（つまり放電深度（ＤＯＤ））を求め、ｂ）ステップＳ３０７において、充電状態（ＳＯＣ）を算定し、ｃ）ステップＳ３０８において、例えば入力デバイス８５、１０２によって入力可能なユーザ定義入力として目標容量を受け取ってＳＯＣから残り充電時間を算出する。
【００６９】
ステップＳ３０１において、時刻０．００時間における開回路電圧（ＯＶＣ）が測定される。残余電荷の量（つまり放電震度（ＤＯＤ））に応じて再充電可能バッテリーパック１００の各セルは、名目上、２つの可能な値のいずれか（例えば、１．６Ｖ  ＯＣＶ、または、１．８６Ｖ  ＯＣＶ）を取り得る。当然の事ながら、実施形態において、再充電可能バッテリーパック１００は、直列に接続された複数の電気化学セル１４を有してよいので、再充電可能バッテリーパック１０の構成において複数の電気化学セル１４のセル１４ａ−１４ｆがいくつあるかに応じてそれに応じた方法で、１．６Ｖおよび１８６Ｖといった複数のＯＣＶが個別的にもしくは付加的に検出される可能性がある。
【００７０】
図１２を参照すれば、ＯＣＶとＳＯＣとの間の関係性についての説明が見られる。実施形態において、図１２には複数のＳＯＣ曲線があり、それらは、それぞれ、複数の銀亜鉛セル１４にわたって生じているＯＣＶに基づいている。当業者にとって当然の事だが、複数の銀亜鉛セル１４の化学的性質（つまり酸化銀状態）はＳＯＣに従う。例えば、高いＳＯＣ充電レベルを有する複数の銀亜鉛セル１４は、およそ１．８６ＶのＯＣＶを有するＡｇＯ酸化銀状態にあると言える。逆に、低いＳＯＣ充電レベルを有する複数の銀亜鉛セル１４は、およそ１．６ＶのＯＣＶを有するＡｇ２Ｏ状態にあると言える。（つまり、ＤＯＤが深い結果、再充電可能バッテリーパック１０に残存する電荷はより少なくなり、低いＳＯＣを生じさせる。）実施形態において、およそ１．８６ＶのＯＣＶを有する曲線第１グループは、「グループ１−ＡｇＯ」として示される。実施形態において、およそ１．６ＶのＯＣＶを有する曲線第２グループは、「グループ２−Ａｇ２Ｏ」として示される。
【００７１】
ＯＣＶが求められると、アルゴリズムＳ３００はステップＳ３０２へ移行し、該ステップにおいて、再充電可能バッテリーパック１００に充電電流（ｉｃ）が流される。電流センサ３２は、パッシブ型の電流センサでよいし、また、ステップＳ３０３において、電流の流れもしくはクーロン・カウントを測定するアクティブ型のデバイスでもよい。
【００７２】
ステップＳ３０２−Ｓ３０３において充電電流（ｉｃ）を流して電圧をモニタリングすると、プロセッサ２８は、ステップＳ３０４において、再充電可能バッテリーパック１００をセルあたりおよそ１．９Ｖの最大電圧にまで再充電するのに要する時間（ｔｃ）をモニタする。図１３を参照すれば、「グループ２」の曲線はそれぞれ、ＤＯＤに応じて、時間に沿って異なる期間において１．９Ｖ  ＯＣＶの閾を横切る。同様、図１４を参照すれば、「グループ１」の曲線はそれぞれ、時間に沿って異なる期間において１．９Ｖ  ＯＣＶの閾を横切る。また、当然のことだが、「グループ２」曲線と比較して、「グループ１」曲線は分極ピークＰＰを有さない。
【００７３】
再充電可能バッテリーパック１００が１．９Ｖの閾に到達するのに要する時間は、図１５に示した「チェック・マーク」のプロットを外挿して得られる２つの線形方程式に従って決定可能である。実施形態において、「チェック・マーク」のプロットは、負の傾きを有する部分ＮＳ、および、正の傾きを有する部分ＰＳを含んでいる。実施形態において、負の傾きの部分ＮＳは、概ね、「グループ１」曲線と関連があり、正の傾きの部分ＰＳは、概ね、「グループ２」曲線と関連がある。実施形態において、図１６に見られるように、負の傾きの部分ＮＳは、概ね、以下に示す式（１）で与えられ、実施形態において、図１７に見られるように、正の傾きの部分ＰＳは、概ね、以下に示す式（２）で与えられる。
ｙ＝−４７．０１ｘ＋１９．５０                            （１）
ｙ＝１３０．２ｘ−５９．３８                              （２）
【００７４】
図１５および図１８を参照すれば、その時点までにおよそ１０％放電した再充電可能バッテリーパック１００の場合、再充電可能バッテリーパック１００が１．９Ｖ最大充電に到達するのにおよそ１４．５分を要する。「チェック・マーク」曲線に従えば、１．９Ｖの最大充電に到達するための時間は、その時点までにおよそ４０％放電した再充電可能バッテリーパック１００の場合におよそ０．５分まで低減される。当該時間は、再充電可能バッテリーパック１００がその時点までにおよそ１００％放電した場合において、およそ７１．５分まで増加する。
【００７５】
次に、ステップＳ３０５において、ステップＳ３０１から求めたＯＣＶが例えば１．７Ｖより小さいかあるいは大きいかを判断することにより、ＤＯＤを計算するための手続が開始される。当然の事だが、１．７Ｖなる値は複数の銀亜鉛セル１４を解析することを目的として選択されている。当該値は、銀亜鉛以外の化学的組成を有する複数のセル１４については異なってよい。しかしながら、異なる化学的組成を有するバッテリーにおいて開始電圧（starting voltages）が異なろうとも、本願が開示する方法論およびシステムは、非銀亜鉛バッテリー組成に対してもそのまま適用可能である。
【００７６】
例えば、ＯＣＶが１．７Ｖよりも大きい（つまり、およそ１．８６Ｖ）と判断された場合、アルゴリズムＳ３００は、ステップＳ３０６ａへ移行し以下に示す式（３）に従ってＡｇＯ酸化銀状態にある複数の銀亜鉛セルのＤＯＤを計算する。逆に、例えば、ＯＣＶが１．７Ｖよりも小さい（つまり、およそ１．６Ｖ）と判断された場合、アルゴリズムＳ３００は、ステップＳ３０６ｂへ移行し以下に示す式（４）に従ってＡｇ２Ｏ酸化銀状態にある複数の銀亜鉛セルのＤＯＤを計算する。
ＤＯＤ＞１．７Ｖ＝−（ｔｃ−２０）／４７                  （３）
ＤＯＤ＜１．７Ｖ＝−（ｔｃ−６０）／１３０                （４）
【００７７】
ステップＳ３０６ａもしくはＳ３０６ｂにおいてＤＯＤを計算すると、アルゴリズムＳ３００は、ステップＳ３０７へ移行し、該ステップにおいて、ＳＯＣを計算する。実施形態において、ＳＯＣは、一般に、以下の式（５）で与えられる。該式では、ステップＳ３０２から流される充電電流（ｉｃ）、ステップＳ３．０４からの１．９Ｖの閾に到達するのに要する時間、ステップＳ３０６ａ／Ｓ３０６ｂから計算されるＤＯＤが含まれる。
ＳＯＣ＝（１−ＤＯＤ）＋ｔｃ＊ｉｃ                        （５）
【００７８】
ステップＳ３０７においてＳＯＣが計算されると、アルゴリズムＳ３００はステ歩婦Ｓ０８へ移行する。該ステップにおいて、以下の式（６）に従って最大容量に到達するのに要する残り充電時間（ｔｒ）が計算される。実施形態において、最大充電容量に到達するまでの残り充電時間（ｔｒ）は、ステップＳ３０２から流される充電電流（ｉｃ）でステップＳ３０７において計算されるＳＯＣを用いて、１つまたは複数の入力デバイス８５、１０２によって入力されるユーザ定義目標容量（Ｃｔ）に従って計算される。
ｔ＝Ｃｔ＊［（１−ＳＯＣ）／ｉｃ］                        （６）
【００７９】
当然のことだが、アルゴリズムＳ３００は、最大容量に到達するまでの残り充電時間（ｔｒ）を求めることにより、再充電可能バッテリーパック１００が過充電されることを防止する。最大容量に到達するまでの残り充電時間（ｔｒ）を求めることにより、充電電流（ｉｃ）を停止（阻止）可能となり、再充電可能バッテリーパック１００の寿命を延命させることが可能になる。
【００８０】
本願が開示する実施形態は、読者が本発明の新規な態様に親しむことを目的としている。本発明の好適な実施形態を示したが、多くの変更、修正、置換は、特許請求の範囲に記載の発明の思想および範囲を逸脱することなしに当業者によって実施可能である。
【符号の説明】
【００８１】
１２  ・・・  バッテリーパック
１４ａ・・・  セル
１４ｂ・・・  セル
１４ｃ・・・  セル
１４ｄ・・・  セル
１４ｅ・・・  セル
１４ｆ・・・  セル
２８  ・・・  プロセッサ
３０  ・・・  メモリ
３２  ・・・  電流センサ
３６  ・・・  電圧測定／制御回路＃１
４０  ・・・  電圧測定／制御回路＃２
４４  ・・・  充電ＦＥＴ
４６  ・・・  放電ＦＥＴ
４８  ・・・  Ｃ．Ｆ．ノード
５０  ・・・  Ｄ．Ｆ．ノード
５２  ・・・  Ｃ．Ｆ．ノード
５４  ・・・  Ｄ．Ｆ．ノード
７５  ・・・  ホスト・デバイス
８１  ・・・  ＡＣ／ＤＣコンバータ
８３  ・・・  ホスト・コントローラ
１００  ・・・  バッテリーパック
【図１】
2011502329.tif 000002
【図２】
2011502329.tif 000003
【図３】
2011502329.tif 000004
【図４】
2011502329.tif 000005
【図５】
2011502329.tif 000006
【図６】
2011502329.tif 000007
【図７】
2011502329.tif 000008
【図８】
2011502329.tif 000009
【図９】
2011502329.tif 000010
【図１０】
2011502329.tif 000011
【図１１】
2011502329.tif 000012
【図１２】
2011502329.tif 000013
【図１３】
2011502329.tif 000014
【図１４】
2011502329.tif 000015
【図１５】
2011502329.tif 000016
【図１６】
2011502329.tif 000017
【図１７】
2011502329.tif 000018
【図１８】
2011502329.tif 000019
【国際調査報告】
2011502329.tif 000020
2011502329.tif 000021
2011502329.tif 000022